(57)【要約】【課題】従来の映像表示具は手動で、かつ放映範囲は狭いので、全周方向に連続放映表示できる立体映像表示電飾装置を提供する。【解決手段】  基台ケ−ス２の内部に、基本回路１０とスピ−カ−１３と電源手段を収めた上部に透明球体スクリ−ン５を設け、その透明球体スクリ−ン５内にモ−タ−２０を位置し、そのモ−タ−２０に、記録情報発光回路１６を有する水平基板１７の端部に、ＬＥＤ１８を数多く線状に設けた水垂直基板１９を縦に取り付けて成る、前記水平基板１７を取り付けた前記基台ケ−ス２に、パソコン端子１２とスイッチ２１を設けて成る立体映像表示電飾装置１とする。【選択図】図１
0003129408.tif 000002
【実用新案登録請求の範囲】
【請求項１】
基台ケ−スの内部に、基本回路とスピ−カ−と電源手段を収めた上部に透明球体スクリ−ンを設け、その透明球体スクリ−ン内にモ−タ−を位置し、そのモ−タ−に、記録情報発光回路を有する水平基板の端部に、ＬＥＤを数多く線状に設けた水垂直基板を縦に取り付けた前記水平基板を取り付けて成る前記基台ケ−スに、パソコン端子とスイッチを設けて成る立体映像表示電飾装置。
【請求項２】
上記する基台ケ−スに、放映速度、放映モ−ド選択、飛び選択、音楽又はタイマ−を設定できる選択切り替えボタンを備えて成る請求項１に記載する立体映像表示電飾装置。
【請求項３】
上記する基台ケ−スの形が、手で持てる太さの握りケ−スで形成される請求項１又は請求項２に記載する立体映像表示電飾装置。
【考案の詳細な説明】
【技術分野】
【０００１】  本考案は、線状に設けたＬＥＤを回転発光させることにより、基板に記録した情報を効果的にして美しく全方向に連続映像表示できるとともに、パソコンから入力したオリジナル映像も表示できる電飾装置に関する。
【背景技術】
【０００２】  従来、ＬＥＤ発光素子を利用した玩具や応援グッズなど様々な発光具や電飾具が提供されており、これらは色の異なるＬＥＤを数多く点滅させたり、組み合わせの変化を楽しむ発光具や電飾器具である。【０００３】  また、数多くのＬＥＤを棒本体に備えた玩具を手で左右に振ることにより、記録された文字や図柄情報が、点滅発光による残像作用により放映されてメッセ−ジを表示できる電飾具が知られている。（例えば、特許文献１参照）【０００４】
【特許文献１】特開２００５−２３０３９７
【考案の開示】
【考案が解決しようとする課題】
【０００５】  上記するような発光玩具や電飾具があるが、これらは多くのＬＥＤを単に点滅発光させるだけであるのでしばらく使うと飽きてしまい、例え、色の組み合わせを変えたり工夫してもそれほど面白味やアッピ−ル性もないうえ、比較的価格が高いわりには楽しく遊べる電飾玩具とは言えないなどの欠点があった。【０００６】  さらに特開２００５−２３０３９７に開示される技術は、片手で持てる棒状の本体に沿って配列したＬＥＤ群を利用して、登録されたＬＥＤ群の点滅パタ−ン情報を順に点滅させ、棒状の本体を手で左右に振ることにより視覚的な残像効果によって文字や絵等を発光表示できる映像伝達玩具である。しかし文字や絵を表わすには本体を手で持って左右に振らなければならず、振らない場合は単に点滅発光するだけであり、しかも左右に振るにも同じリズムで行わないときれいに表示できない。加えて、連続した表示機能があっても手で一定時間振り続けるのは大変であり、また映像はＬＥＤを備えた方向にしか表示できず、同時に全方向に表示できないなど不便や欠点のある電飾玩具である。
【課題を解決するための手段】
【０００７】  本考案は上記する従来の技術の不便や欠点を解消するために、請求項１においては、基台ケ−スの内部に基本回路とスピ−カ−と電源手段を収めた上部に透明球体スクリ−ンを設け、その透明球体スクリ−ン内にモ−タ−を位置し、そのモ−タ−に、記録情報発光回路を有する水平基板の端部に、ＬＥＤを数多く線状に設けた水垂直基板を縦に取り付けて成る前記水平基板を取り付けた前記基台ケ−スに、パソコン端子とスイッチを設けることにより、記録した文字や図柄映像を連続して全方向に放映できる立体映像表示電飾装置とする。【０００８】  請求項２においては、上記する基台ケ−スに放映モ−ド選択、飛び選択、音楽又はタイマ−を選択設定できる選択切り替えボタンを備えることで、好みの放映や選択を自由に選んで楽しめるものとする。【０００９】  請求項３においては、上記する基台ケ−スの形を、手で持てる握りケ−スにすることで、携帯してどこでも気軽に使えるものとする。
【考案の効果】
【００１０】  本考案による電飾装置は、基台ケ−スの上に位置する透明球体スクリ−ン内に設けた、モ−タ−で回転する記録情報発光回路を有する水平基板端部に、ＬＥＤを線状に設けた垂直基板を取り付けた構成であるため、スイッチを入れて水平基板が回転し始めるとともに、前記の記録情報発光回路に記録された文字や図柄の信号を受けて、前記のＬＥＤが点滅発光して映像を放映し、その映像は前記透明球体スクリ−ンの内側面全周に連続して放映できるので、どの方向からも美しい電飾映像を観て楽しめる従来には見られないユニ−クな電飾発光装置である。【００１１】  加えて、パソコン端子も備え、かつ専用ソフトを用いて文字や図柄を作成編集したうえで電飾装置の記録情報発光回路に記録すると、オリジナルな電飾映像を表示できるとともに、前記基台ケ−スにはスイッチ以外に、放映速度、デ−タ選択、音楽やタイマ−などの切り替え選択ボタンを備えているので、楽しむ人の好みに応じて様々な選択が可能となる。さらに、その他の実施形態においては、載置型の基台ケ−スに代えて手で掴める握りケ−スを形成するので、イベントやライブ、その他の場所に気軽に携帯して応援グッズとして使うと、一際アッピ−ルする楽しい電飾玩具としても使えることはもとより、オリジナルな電飾放映を行うと、小型でありながらお店の宣伝媒体として有効に活用できる電飾装置を提供できる。
【考案を実施するための最良の形態】
【００１２】  本考案による電飾装置を図１に示す一部欠損した斜視図と図２の基本回路部を有する底蓋面を示す斜視図、図３に示す底蓋裏面図及び図５の使用状態の放映状態を示す参考図で説明する。【００１３】  本考案による電飾装置１は、内部が空洞の基台ケ−ス２の上面に位置した軸管３に連結する筒ケ−ス４を位置し、さらに、その筒ケ−ス４に、透明球体スクリ−ン５を取り付けて成る外装とする。以上のように形成した前記基台ケ−ス２に取り付ける底蓋６面には、電源手段となる電池ケ−ス７を背面に有し、その表面に交流電源を直流電源にする変圧アダプタ−８（以下、アダプタ−と称す）を位置させるとともに、他部には前記アダプタ−８に連結するソケット９と基本回路１０を設けた基板１１とパソコン端子１２とスピ−カ−１３それぞれがリ−ド線１４で配線して成る底蓋６を前記基台ケ−ス２にネジ１５止めする。【００１４】  さらに、前記透明球体スクリ−ン５内には、文字や図柄情報を記録できる記録情報発光回路１６を有する水平基板１７端部に、アレ−ＬＥＤ１８（以下、ＬＥＤと称す）を基板端部に数多く線状に設けた垂直基板１９を、前記記録情報発光回路１６の水平基板１７の端部に縦に取り付けた前記水平基板１７を、前記する筒ケ−ス４内のモ−タ−２０に取り付けて、前記透明球体スクリ−ン５内で水平に回転する構成とする。【００１５】  以上のように形成した前記基台ケ−ス２の外部には、スイッチ２１とともに、スピ−ドを調節する放映速度、放映モ−ド選択、飛び選択、音楽又はタイマ−などを設定する切り替え選択ボタンを２２を備えるとともに、図３に示すように底蓋６の背面の電池ケ−ス７には、ケ−ス蓋２４をネジ穴９で留めした底蓋６を、ネジ軸２５を介して前記基台ケ−ス２にネジ２５止めして成る電飾装置１を構成する。【００１６】  この電飾装置１は以上のような構成とするので、電源スイッチ２１を入れると上部の透明球体スクリ−ン５内に位置した記録情報発光回路１６を備えた水平基板１７が回転するに連動して垂直基板１９に設けたＬＥＤ１８が発光し始めると、前記記録情報発光回路１６に記録されている文字や図柄の情報が点滅発光により放映されて、視覚的な残像作用による映像を図５に示すように透明球体スクリ−ン５の全周に連続して写し出せる。【００１７】  加えて、基台ケ−ス２にはパソコン端子１２を備えているとともに、専用ソフトを用いて文字や図柄、レイアウトなど自由に作成編集したうえで電飾装置に取り込んで記録すると、オリジナルな映像表示ができることはもとより、任意に記録情報を変えたりすることができるうえ、放映速度、放映モ−ド選択、飛び選択、音楽又はタイマ−などは、切り替え選択ボタンで任意に行える電飾装置１を構成する。【００１８】  次に、本考案のその他の実施形態を図４に示す斜視図で説明する。前記した電飾装置１は安定する基台ケ−ス２の上部に透明球体スクリ−ン５を取り付けた卓上型であるが、本実施形態においては携帯可能な手持ちタイプとしている。まず手で掴める大きさの握りケ−ス２６内に、電池２７を収める蓋２４付き電池ケ−ス７を設けるとともに、他のスペ−スには、前記実施形態に示す基本回路１０を有する基板１１とスピ−カ−１３、パソコン端子���２などのパ−ツ（図は省略）を収めた握りケ−ス２６の外側にスイッチ２１や切り替え選択ボタン２２を設けた実施形態を成す電飾装置１を構成する。【００１９】  その他の実施形態に示す電飾装置１は、基本構成は前記したタイプと同じであるが、携帯型とするためアダプタ−８を除くものとし、他のパ−ツは前記実施形態と同じであるが、全体が小型化し、かつ、基本回路１０やスピ−カ−１３、パソコン端子１２等は握りケ−ス２６内に収めるので手に持って楽しむことができる形態である。尚、本実施形態においては軽くするためにアダプタ−８を無くして電池２７のみが好ましいが、アダプタ−８を備えてもよい。
【図面の簡単な説明】
【００２０】
【図１】本考案の電飾装置を示す一部欠損した斜視図である。
【図２】底蓋面に位置した基本回路部と関係パ−ツを示す斜視図である。
【図３】底板裏面を示す一部欠損した正面図である。
【図４】本考案のその他の実施形態を示す斜視図である。
【図５】本考案の電飾装置を作動した時の映像表示状態を示す参考図である。
【符号の説明】
【００２１】１  電飾装置
２  基台ケ−ス
３  軸管
４  筒ケ−ス
５  透明球体スクリ−ン
６  底蓋
７  電池ケ−ス
８  アダプタ−
９  ソケット
１０  基本回路
１１  基板
１２  パソコン端子
１３  スピ−カ−
１４  リ−ド線
１５  ネジ
１６  記録情報発光回路
１７  水平基板
１８  ＬＥＤ
１９  垂直基板
２０  モ−タ−
２１  スイッチ
２２  切り替え選択ボタン
２３  ネジ穴
２４  蓋
２５  ネジ軸
２６  握りケ−ス
２７  電池
【図１】
0003129408.tif 000003
【図２】
0003129408.tif 000004
【図３】
0003129408.tif 000005
【図４】
0003129408.tif 000006
【図５】
0003129408.tif 000007